(57)【要約】      （修正有）【課題】外部機器に接続されるコネクタを有する機器であって、コネクタを機器内に繰り込むときに、単一の動作のみでコネクタの係止状態を解除し、機器内部に繰り込むことができる機器を提供する。【解決手段】外部接続用コネクタ２ａを有する機器１において、コネクタ２ａは機器１の本体内部に収納される収納位置と、本体外部に突出させられた突出位置とに移動し、コネクタ２ａを突出位置にて係止するロック部材４と、コネクタ支持部材２と、ロック部材４の係止解除をするためのロック解除部３ｂと、コネクタ支持部材２を移動駆動するための押圧部３ｆと、押圧部３ｆからの押圧を受ける被押圧部２ｂと、作動において、ロック解除とコネクタ２ａの繰込みを操作者の連続した単一の操作行為によって行う手動駆動部材３を有し、押圧部３ｆは、手動駆動部材３の作動の初期には駆動力を被押圧部２ｂに伝達しない、空走域を具備する。【選択図】図２
2014052766.tif 000002
【特許請求の範囲】
【請求項１】
外部接続用コネクタを有する機器において、
コネクタが、該機器本体２１内部に収納される収納位置と、該機器本体外部に突出させられた突出位置とに移動するコネクタを有する機器本体と、
上記コネクタを上記突出位置にて係止するロック部材と、
上記コネクタを支持し、上記コネクタを上記収納位置と上記突出位置とに移動させるための操作者の駆動力を受け、上記コネクタを上記突出位置にて係止するため上記ロック部材と係合する被係合部を有しコネクタ支持部材と、
上記ロック部材の係止解除するためのロック解除部と、上記コネクタ支持部材を移動駆動するための押圧部とを有し、上記駆動力を受けて作動し、該作動の初期において、該ロック解除部が上記ロック部材を押圧して上記係止を解除し、該解除に続いて該押圧部が上記コネクタの繰込みを上記操作者の連続した単一の操作行為によって行う手動駆動部材と、
上記押圧部からの押圧を受ける被押圧部を有し、上記手動駆動部材の上記作動の初期には上記押圧部と該被押圧部との当接を行わせずに上記駆動力がコネクタ支持部材に伝達しない空走域と、該空走域の後に続いて上記押圧部と該被押圧部との当接が行われ上記駆動力を上記コネクタ支持部材に伝達する作動域とを構成する駆動力伝達手段と、  
を具備することを特徴とする外部接続用コネクタを有する機器。
【請求項２】
上記ロック部材は、レバー形状を成し、上記手動駆動部材と当接するレバー当接部と、上記被係合部と係合するためのレバー係合部とを有して揺動し、上記手動駆動部材は直線移動を行い、上記空走域にて上記ロック部材のレバー当接部とロック解除部とが当接し、上記レバー係合部と上記被係合部との上記係合を解除し、上記コネクタ支持部材の移動を許容することを特徴とする上記請求項１記載の外部接続用コネクタを有する機器。
【請求項３】
上記ロック部材は、レバー形状を成し、上記手動駆動部材と当接するレバー当接部と、上記被係合部と係合するためのレバー係合部とを有して揺動し、上記手動駆動部材は回転を行い、上記空走域にて上記ロック部材のレバー当接部とロック解除部とが当接し、上記レバー係合部と上記被係合部との上記係合を解除し、上記コネクタ支持部材の移動を許容することを特徴とする上記請求項１記載の外部接続用コネクタを有する機器。
【請求項４】
上記駆動力伝達手段は、セクタギアと、該セクタギアと噛合しているピニオンギアと、該ピニオンギアと一体で上記コネクタ支持部材のラックに噛合しているセクタギアとを有し、上記手動駆動部材の上記空走域である回転では上記駆動力伝達手段を駆動せずに上記ロック部材のレバー当接部とロック解除部とが当接し上記係合を解除し、上記空走域の回転に続いて上記作動域の回転により上記駆動力伝達手段を駆動し上記コネクタ支持部材を駆動することを特徴とする上記請求項３記載のコネクタを有する機器。
【発明の詳細な説明】
【技術分野】
【０００１】
この発明は外部接続用コネクタを有する機器に関する。
【背景技術】
【０００２】
従来、データを電気的に通信するため外部機器に接続するためのコネクタを有する機器がある。例えば、特開２００６−２０１６１号公報には、カメラ本体に対し出入りするコネクタが開示されている。該コネクタは別の機器としてのカメラにそのコネクタを接続される。
【先行技術文献】
【特許文献】
【０００３】
【特許文献１】特願２００６−２０１６１号公報
【発明の概要】
【発明が解決しようとする課題】
【０００４】
ところが、上記特願２００６−２０１６１号公報に示されるコネクタはカメラ本体から繰出されて、該コネクタが外部機器に接続されるとき、挿入力は必ず必要となる。この挿入力に抗してコネクタを繰り出し状態を保持するための固定機構、係止機構等が必要となるが、この機構に関し特に開示はない。また、このコネクタの繰り出し状態から繰り込みを行うときには、その固定機構、係止機構等の解除が必要であり、その操作はなるべく操作し易いものが望まれる。
【０００５】
本発明は、上述した点に鑑み、その目的とするところは、外部機器に接続されるコネクタを有する機器において、該コネクタを繰り出し状態から繰り込み状態に移行させる際に、繰り出し状態における係止を容易に解除できる機構を有した機器を提供する。
【課題を解決するための手段】
【０００６】
外部接続用コネクタを有する機器において、コネクタが、該機器本体内部に収納される収納位置と、該機器本体外部に突出させられた突出位置とに移動するコネクタを有する機器本体と、上記コネクタを上記突出位置にて係止するロック部材と、上記コネクタを支持し、上記コネクタを上記収納位置と上記突出位置とに移動させるための操作者の駆動力を受け、上記コネクタを上記突出位置にて係止するため上記ロック部材と係合する被係合部を有しコネクタ支持部材と、上記ロック部材の係止解除するためのロック解除部と、上記コネクタ支持部材を移動駆動するための押圧部とを有し、上記駆動力を受けて作動し、該作動の初期において、該ロック解除部が上記ロック部材を押圧して上記係止を解除し、該解除に続いて該押圧部が上記コネクタの繰込みを上記操作者の連続した単一の操作行為によって行う手動駆動部材と、上記押圧部からの押圧を受ける被押圧部を有し、上記手動駆動部材の上記作動の初期には上記押圧部と該被押圧部との当接を行わせずに上記駆動力がコネクタ支持部材に伝達しない空走域（第１の作動域）と、該空走域の後に続いて上記押圧部と該被押圧部との当接が行われ上記駆動力を上記コネクタ支持部材に伝達する作動域（第２の作動域）とを構成する駆動力伝達手段と、を具備する。
【発明の効果】
【０００７】
本発明によれば、コネクタを機器内に繰り込むときに、何らの意図的操作を必要とせずに、一動作のみでコネクタの係止状態を解除し、続いてコネクタを機器内部に繰り込むことができるコネクタを有する機器を提供できる。
【図面の簡単な説明】
【０００８】
【図１】本発明の第１の実施形態の外部接続用コネクタを有する機器の外観斜視図であり、図１の（ａ）は、本発明を用いた外部接続用コネクタを有する機器の外部接続用コネクタ（コネクタ）を繰出した状態の図すなわち、外部接続用コネクタが突出位置にあるときの図である。図１の（ｂ）は、本発明を用いた外部接続用コネクタを繰り込んだ状態、すなわち、外部接続用コネクタが収納位置にあるときの図である、
【図２】本発明の第１の実施形態の外部接続用コネクタを有する機器の動作を示す原理図であり、図２（ａ）は、コネクタの繰込み状態であり、すなわち外部接続用コネクタが収納位置にあるときの図１（ｂ）における線分ＡＡを含む平面で機器を横に切断し図中の矢印ＸＸ方向に見た横断面図である。図２（ｂ）は図２（ａ）の状態から操作摘みを僅かに動かしたときの横断面図である。図２（ｃ）は、図２（ｄ）の状態から操作摘みを僅かに動かしたときの横断面図である。図２（ｄ）は、コネクタの繰出状態、すなわち、外部接続用コネクタが突出位置にあるときの図であり、図１（ａ）における線分ＢＢを含む平面で機器を横に切断し図中の矢印ＹＹ方向に見た横断面図である。
【図３】本発明の第２の実施形態の外部接続用コネクタを有する機器の外観斜視図であり、図３（ａ）はコネクタを繰込んだ状態の図であり、図３（ｂ）はコネクタを繰出した状態の図である。
【図４】本発明の第２の実施形態の外部接続用コネクタを有する機器の分解斜視図である。
【図５】本発明の第２の実施形態の外部接続用コネクタを有する機器の要部のみを示した斜視図であり、図５（ａ）はコネクタ繰出しの前の状態（繰込み状態）で係止が掛けられた装置要部の斜視図であり、図５（ｂ）は該装置要部を図５（ａ）中に示す矢印Ａからみた側面図である。
【図６】本発明の第２の実施形態の外部接続用コネクタを有する機器の要部のみを示した斜視図であり、図６（ａ）はコネクタ繰込みの直前の状態（繰出状態）で係止が解除された装置要部の斜視図であり、図６（ｂ）は該装置要部を図６（ａ）中に示す矢印Ａからみた側面図である。
【図７】本発明の第２の実施形態の外部接続用コネクタを有する機器の要部のみを示した斜視図であり、図７（ａ）はコネクタ繰込み前の状態（繰出状態）で係止が掛けられた装置要部の斜視図であり、図７（ｂ）は該装置要部を図７（ａ）中に示す矢印Ａからみた側面図である。
【図８】本発明の第２の実施形態の外部接続用コネクタを有する機器の要部のみを示した斜視図であり、図８（ａ）はコネクタ繰込みの直前の状態（繰出状態）で係止が解除された装置要部の斜視図であり、図８（ｂ）は該装置要部を図８（ａ）中に示す矢印Ａからみた側面図である。
【発明を実施するための形態】
【０００９】
以下、図示の実施形態によって本発明を説明する。
【００１０】
本発明の実施形態の外部接続用コネクタを有する機器は例えば、ＵＳＢメモリ−、デジタルカメラ、ボイスレコーダ等の様々な、データを通信できるものであればよく、本説明では説明を簡略化するためそれら装置、機器のコネクタに係わる部分のみを説明する。
【００１１】
なお、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００１２】
（第１の実施形態）
第１の実施形態の構成を図１，図２を用いて説明する。
【００１３】
図１は本実施形態の外部接続用コネクタ（以下、コネクタと称する）を有する機器であり、図１（ａ）は機器本体１からＵＳＢなどの外部機器に接続可能なコネクタ２ａが繰出された状態を示す図であり、図１（ａ）中の線分ＢＢを含む平面で機器１を横に切断した横断面図が図２（ｄ）で示される。
【００１４】
図１（ｂ）は、機器本体１からＵＳＢなどの外部機器に接続可能なコネクタ２ａが繰り込まれた状態を示す図であり、本発明を用いたコネクタ２ａを有する機器の外観図斜視図であり、図１（ｂ）における線分ＡＡを含む平面で機器を横に切断した横断面図が図２（ａ）で示される。
【００１５】
図１，図２で示されるのは機器本体１であり、この機器本体１はケース１ａからなり、その内側には、外部機器とデータの通信を行うための外部接続用コネクタであるコネクタ２ａと、このコネクタ２ａを支持し一体的に移動するコネクタ支持体２と、ロック部材４（係止部材）と、コネクタ支持体２を移動駆動するためコネクタ支持体２と同じ方向に移動する操作部材３とが収納されている。
【００１６】
ケース１ａは、外周一側面にコネクタ２ａが機器本体１から繰り出し、繰り込みが可能なように矩形状のコネクタ用開口１ｂが設けられ、コネクタ２ａが繰出されたときはコネクタ２ａが貫通する。ケース１ａは、上記外周一側面とは異なる外周一側面に操作部材３と一体の操作摘み３ａが外部に露出、そして移動可能なようにコネクタ２ａの移動方向と平行な細長い矩形状の開口である摘み開口１ｃが設けられている。更にケース１ａ内には後述のロック部材４の揺動軸４ａが嵌合する軸１ｄが設けられている。
【００１７】
操作部材３は手動駆動部材として、コネクタ２ａの移動方向に長い略板状の部材からなり、操作摘み３ａの他に、コネクタ支持部材を移動方向に駆動するため駆動力伝達部として押圧部でもある駆動部３ｆを有し、該駆動部３ｆは一対の突部である第１の駆動突部と第１の駆動突部から移動方向に離間した位置に第２の駆動突部とを有している。言葉を換えると第１の駆動突部と第２の駆動突部との間に凹部が形成されていると言える。さらに操作部材３にはロック部材４を揺動させるためロック部材４と係合、摺接を行うロック解除部としての係合凸部３ｂを有し、該突部３ｂは第１の傾斜面３ｃと凸部頂点面３ｄと第２の傾斜面３ｅとから構成されている。尚、操作部材３は図示せぬ公知の案内機構により移動方向に案内される。例えば、それはケース１ａに設けられた、移動方向に並べられた一対のピンと、同様に操作部材３に設けられ移動方向に並べられた一対の長孔からなり、それぞれが互いに嵌合摺接する。
【００１８】
コネクタ支持体２はコネクタ２ａの移動方向に長い矩形状にコネクタ支持部材として形成されている。移動方向の両端の一端である長手方向の一端にコネクタ２ａが設けられている。コネクタ支持体２はコネクタ２ａの他に、上記駆動部３ｆの駆動を受ける被駆動凸部（被駆動部）を有する。被駆動部は凸部形状を成し、上記第１の駆動突部と第２の駆動突部との間に大きく遊嵌している。さらにコネクタ支持体２にはコネクタ２ａが繰出状態であるときに、この繰出状態を維持するため、後述するロック部材４の係止部４ｂが係合する凹状の被係合部２ｃが形成されている。尚、操作部材３と同様に図示せぬ公知の案内機構により移動方向に案内される。
【００１９】
また、操作部材３とコネクタ支持体２はコネクタ２ａが繰出し状態、繰込み状態のそれぞれの位置でバネなどを用いた公知のクリック手段により位置が定まるようにしておくとよい。またどちらか一方にだけにクリック手段により位置が定まるようにしておいてもよい。本説明ではこの説明を省略する。
【００２０】
ロック部材４は揺動回転のための揺動孔４ａを有し、この揺動孔４ａが軸１ｄと嵌合してこの軸１ｄ周りに揺動回転（変位）可能となっている。そしてこのロック部材４には揺動孔４ａを挟んで第１の端部と第２の端部を有し、第１の端部には操作部材３の係合凸部と係合、摺接する当接突起を有し、第２の端部にはコネクタ支持体２の被係合部２ｃに係合する係合部を有する。
【００２１】
ロック部材４には付勢部材５（バネ部材）が懸架されていて図２中において常に時計方向に回転力が与えられている。また、この付勢部材５を廃止して、これの代わりにポリアセタール材の素材でロック部材を形成し、ロック部材と一体のバネ部位を設けてこれを付勢部位としてロック部材に時計方向に付勢力を与えてもよい。
【００２２】
上記構成よりその動作を説明する。
【００２３】
始めに、コネクタ２ａがケース１ａ内に収納された繰込み位置（収納位置）に在る繰込状態からケース１ａ外に繰出される繰出状態（突出位置）までの過程を、図２を基に説明する。
【００２４】
図２（ａ）はコネクタ２ａが繰込まれた状態、すなわち、外部接続用コネクタが収納位置にあるときである。この状態で、操作摘み３ａは摘み開口１ｃ中の一端に配置され（図中最左端）、第１駆動凸部３ｇと第２駆動凸部３ｈとの間に被駆動凸部が配置され、被駆動凸部は第２駆動凸部３ｈに接した状態にある。またロック部材４の当接部４ｃは操作部材３の係止駆動凸部３ｂ（係止駆動部）の第１傾斜面３ｃ、凸部頂点面３ｄ、第２傾斜面３ｅから外れている。従って、ロック部材４は付勢部材５によって時計方向に回転付勢されているので、ロック部材４の係止部４ｂがコネクタ支持体２の、移動方向の上記一端である被係合端面２ｄに掛かり、コネクタ２ａが機器本体１外部に移動することを防止している。すなわち、外部接続コネクタが収納位置にある状態に係止されている。
【００２５】
この状態から操作部材３の操作摘み３ａを図２（ａ）の矢印Ｓ１で示す右方向に移動させる。そうすると第２駆動凸部３ｈは被駆動凸部と離間しながら、操作部材３の係止駆動凸部３ｂの第１傾斜面３ｃでロック部材４の当接部４ｃを押圧してロック部材４を反時計方向に回転させる。そしてロック部材４の当接部４ｃは係止駆動凸部３ｂの凸部頂点面３ｄに当接した状態となる。すると、ロック部材４の係止部４ｂはコネクタ支持体２の端部から外れ、コネクタ２ａが機器本体１外部への移動を許容することになる。これを言い換えると、外部接続用コネクタが突出位置へと移動可能な状態となるように係止が解除された状態となるといえる。すなわち図２（ａ）で示すＡＳ１である移動量だけ、操作部材３を移動した状態が図２（ｂ）で示したのがこの状態である。
【００２６】
図２（ｂ）で示した状態から連続して更に、操作摘み３ａを右方向に移動操作すると、操作部材３の第１駆動凸部３ｇがコネクタ支持体２の被駆動凸部と当接し、コネクタ支持体２が右方向に移動され、コネクタ２ａがコネクタ用開口１ｂを貫通し、外部に露出される。この移動の最中にロック部材４の当接部４ｃは係止駆動凸部３ｂの凸部頂点面３ｄから第２傾斜面３ｅに至り、ロック部材４は時計方向に回転揺動（変位）する。ロック部材４の当接部４ｃが第２傾斜面３ｅとの当接から外れるとロック部材４の時計方向への回転揺動は止まると同時に、ロック部材４の係止部４ｂはコネクタ支持体２の被係合部２ｃに係合し、コネクタ支持体２の移動は停止されコネクタ２ａの繰り出し、すなわちコネクタ２ａの突出が完了する。この状態を図２（ｄ）が示す。すなわち、コネクタ２ａの繰込み状態から繰り出し状態への経過を、図２（ａ）から図２（ｂ）、そして図２（ｂ）から図２（ｄ）で示したことになる。
【００２７】
次にコネクタ２ａを繰出状態から繰込状態へ動作させる説明を行う。
【００２８】
コネクタ２ａが繰出された状態である図２（ｄ）から繰込みを行うには、操作摘み３ａを図中の矢印ＲＳ１のように左方向に移動させる。当然に操作部材３は左に移動することになる。この移動前は、操作部材３の第２駆動凸部３ｈとコネクタ支持体２の被駆動凸部とは離間しているので、操作部材３の移動の最初はコネクタ支持体２を移動駆動しない。操作部材３の第２駆動凸部３ｈとコネクタ支持体２の被駆動凸部とが当接するまでの間に、操作部材３の係止駆動凸部３ｂの第２傾斜面３ｅがロック部材４の当接部４ｃを押圧してロック部材４を付勢部材５に抗して反時計方向に揺動回転（変位）させ、ロック部材４の当接部４ｃを凸部頂点面３ｄに当接させる。このときロック部材４の係止部４ｂがコネクタ支持体２の被係合部２ｃから抜けてその係合が解除される。すなわち、外部接続用コネクタが突出位置にて係止されていた状態から、外部接続用コネクタが移動可能となる係止解除の状態となる。この結果、コネクタ支持体２は左方向に移動可能となり、操作部材３の第２駆動凸部３ｈとコネクタ支持体２の被駆動凸部とが当接する。この状態が図２（ｃ）に示される。ここまでの操作部材３の移動量は図２（ｄ）に示した第１の移動量であるＡＳ２である。図２（ｃ）から連続して操作部材３がコネクタ繰込み方向に左方向に移動すると図２（ａ）に示す状態となる。図２（ｃ）中に示す二点鎖線は図２（ａ）におけるコネクタ支持体２の位置における位置を示し、図２（ｃ）から図２（ａ）へのコネクタ支持体２の移動量は、図２（ｃ）で示すＡＳ３となる。
【００２９】
すなわち繰出し状態から繰込み状態に到る経過は図２（ｄ）から図２（ｃ）、そして図２（ｃ）から図２（ａ）で示したことになる。
【００３０】
以上のように本発明の第１の実施形態のコネクタ２ａを有する機器は、コネクタ２ａを繰出した位置で固定、係止するための操作部材３を一方向にのみ移動駆動させるだけで余計な操作を必要とせずに、コネクタ２ａを繰出した状態に固定、係止できる。従って、外部からコネクタ２ａに不要な外力が作用しても、このコネクタ２ａの機器本体１内にコネクタ２ａが意図せず繰込まれることもないし、他の機器にコネクタ２ａを接続する際にも、またコネクタ２ａが意図せず繰込まれることもなく確実な接続を行うことができる。
【００３１】
なお、この他に、本発明が含まれた機器、装置は、コネクタ２ａを繰込んだ状態においてもロック部材４がコネクタ支持体２の一端を係止しているので、該機器、装置を落下しても、該機器、装置に衝撃が加わっても不用意にコネクタ自身が飛び出してくることもないようになっている。
【００３２】
なお、操作部材３の駆動部３ｆの形状である一対の凸部３ｇ、３ｈをコネクタ支持体に設け、コネクタ支持体の凸部２ｂを操作部材３に設けた形状にしてもよい。
【００３３】
（第２の実施形態）
本実施形態の構成を図３乃至図８を用いて説明する。
【００３４】
図３において、本発明の機器である機器本体２１の外観斜視図を示す。機器本体２１は外装部材である上ケース２１ｂと下ケース２１ａとで外観が覆われ、その側面から後述する手動駆動部材である回転ダイアル２６の一部が露出されている。さらに機器本体２１の他の側面には外部接続用のコネクタ２３ａが機器本体２１内から繰出し、機器本体２１内に繰込みされるためのコネクタ用開口２１ｔが設けられている。図３（a）は機器本体２１に外部接続用のコネクタ２３ａが繰込まれた状態を示し、図３（ｂ）は機器本体２１から外部接続用のコネクタ２３ａが繰出された状態を示している。
【００３５】
図４において、機器本体２１を分解し部品を展開した斜視図を示している。
【００３６】
機器本体２１は、主に、下ケース２１ａと、上ケース２１ｂと、下ガイドケース２２ａと、上ガイドケース２２ｂと、コネクタ支持部材２３と、コネクタ２３ａと、回転ダイアル２６と、駆動セクタギア２５と、ロック部材２４と、バネ２７と、被駆動セクタギア２８とから構成されている。
【００３７】
下ケース２１ａは矩形形状の外装部材として内部に複数の部品を収納する。下ケース２１ａの一側面には回転ダイアル２６の一部が外部に露出するためのダイアル用切欠開口２１ｍが設けられ、下ケース２１ａと上ケース２１ｂとにはコネクタ２３ａが外部に繰出可能となるためのコネクタ用切欠開口２１ｎがそれぞれに設けられ、下ケース２１ａと上ケース２１ｂとが一体になって1つのコネクタ用開口２１ｔが形成される。
【００３８】
下ケース２１ａ内部には後述する駆動セクタギア２５の回転中心となる軸受ボス２１ｆが形成されている。この軸受ボス２１ｆの中心より少し半径方向に離間して径方向にかつ下ケースの厚み方向に凸状の回転規制突部２１ｇが形成されている。また、回転規制突部２１ｇに連続して円周方向に延びて形成された凸状のリブは、外観より見えてしまう下ケースと回転ダイアルとの隙間を覆うためのものである。該回転規制突部２１ｇは回転ダイアル２６の回転を所定の範囲に規制している。また、下ケース２１ａ内部に軸受ボス２１ｆから回転ダイアル２６の半径より離間して凸状に設けられた別の軸部２１ｈを有し、該軸部２１ｈには駆動セクタギア２５と噛合した後述する被駆動セクタギア２８が回転可能に軸支される。
【００３９】
また、下ケース２１ａ内部には後述するロック手段を構成する部材であるロック部材２４に対し付勢するための付勢部材であるバネ２７を固定するための壁部２１ｉと固定用リブ２１ｊが下ケース２１ａ内部に設けられている。これら壁部２１ｉと固定用リブ２１ｊの間にバネ２７の一端が自由長状態で挟み込まれ固定される。また、下ケース２１ａ内部には回転軸２４ａを有するロック部材２４を挟むように、かつ揺動可能に軸支するための一対の軸受けが設けられ、下ロック部材軸受部２１ｋとして機能する。下ロック部材軸受部２１ｋは回転軸２４ａの半周を軸受けする。更に、下ケース２１ａにはガイドケースを固定するためのネジ用穴を中心に有する第１ボス２１ｃ、第２ボス２１ｄ、第３ボス２１ｅが３か所に設けられている。
【００４０】
下ケース２１ａには、上ケース２１ｂと共に上記複数の部品を収納、配置した後にこれらを覆うために上ケース２１ｂと３本のネジで一体固定される。そのため、下ケース２１ａの3か所に、貫通孔を有したケース止めボス（第１ケース止めボス２１ｑ、第２ケース止めボス２１ｒ、第３ケース止めボス２１ｓ）が設けられている。第１ケース止めボス２１ｑは後述の下ガイドケース２２ａの１つの固定片を押えるボスと兼用される。
【００４１】
上ケース２１ｂは矩形形状の外装部材であって、下ケース２１ａと共に回転ダイアル２６の一部を除き収納された時のコネクタ支持部材２３を含む内部に収納される全ての部品を覆う。上ケース２１ｂには上記下ケース２１ａの３か所の貫通孔に対応した所には、ケース止めネジのためのネジ用穴を有した上ボス（第１上ボス、第２上ボス、第３上ボス）が設けられている（図４不図示）。さらに、上ケース２１ｂの内部にはロック部材２４の回転軸２４ａを、回転可能なように下ケース２１ａの下ロック部材軸受部２１ｋと共に挟み、回転軸２４ａの残り半周を軸受けする一対の軸受である上ロック部材軸受部が設けられている（図４不図示）。
【００４２】
上ケース２１ｂ、下ケース２１ａはその内部にガイドケースを固定収納する。ガイドケースは下ガイドケース２２ａと上ガイドケース２２ｂとからなっている。下ガイドケース２２ａと上ガイドケース２２ｂの中には後述する外部接続用のコネクタ２３ａ（以下、コネクタ２３ａと言う）を支持したコネクタ支持部材２３が移動可能に案内支持され、上ガイドケース２２ｂと下ガイドケース２２ａの中を移動し、コネクタ２３ａが機器本体２１から繰出し、繰込みを行う。
【００４３】
下ガイドケース２２ａはコネクタ支持部材２３の下半分を覆い、この中でコネクタ支持部材２３が繰出し、繰込み方向に移動可能なように形成された板部材で形成されている。
【００４４】
この下ガイドケース２２ａからは４か所に、下ケース２１ａに固定されるため、同一方向に穿たれた孔を有した固定片（第１固定片２２ｃ、第２固定片２２ｄ、第３固定片２２ｅ、第４固定片２２ｑ）が一体に形成されている。下ガイドケース２２ａはさらに後述する回転ダイアル２６のための軸受けボスを貫通させるための軸受ボス用孔２２ｇを有し、その周囲に回転ダイアル２６のスラスト方向への移動を規制する受け面２２ｈを有している。更に、下ガイドケース２２ａにはロック部材２４を下ケース２１ａ内に仮に押えるための押え片２２ｉが設けられている。押え片２２ｉは下ロック部材軸受部２１ｋの近傍に配置されるように設けられ、ロック部材２４がバネ２７により下ロック部材軸受部２１ｋより浮いてしまうことを防止している。
【００４５】
上ガイドケース２２ｂはコネクタ支持部材２３の上半分を覆い、この中でコネクタ支持部材２３が繰出し、繰込み方向に移動可能なように形成された板部材で形成されている。
【００４６】
この上ガイドケース２２ｂからは３か所に、下ケース２１ａと伴に下ケース２１ａに固定されるため、上記同一方向に穿たれた孔を有した固定片（第５固定片２２ｄｄ、第６固定片２２ｅｅ、第７固定片（図４中不図示））が一体に形成されている。
【００４７】
コネクタ支持部材２３は略矩形の形状をしており、コネクタ支持部材２３には外部の機器と電気的に接続可能な外部接続用のコネクタ２３ａと、後述するピニオンギア２８ｂと噛合する被駆動部であるラック２３ｂ（図４不図示、図５以降参照）とを有し，さらに後述するロック部材２４の係止用突部２４ｂが進入して係止される被係止部（被係合部）である繰込被係止凹部２３ｃ１（被係合部）と、該繰込被係止凹部２３ｃ１（被係合部）とコネクタ支持部材２３の移動方向に離間して繰出被係止凹部２３ｃ２とが設けられている。
【００４８】
ロック部材２４は剛体の梁であるレバー状に形成され、その中心にはロック部材２４の揺動が可能なように一対の回転軸２４ａがロック部材２４の一側面とこれに対向する面に、凸状に設けられている。この一対の回転軸２４ａが回転可能に下ケース２１ａの下ロック部材軸受部２１ｋに受けられ、ロック部材２４は回転軸２４ａに関し揺動可能となる。ロック部材２４の一端部（第１の端部）には後述する係止用の係止用突部２４ｂがロック部材２４の揺動方向に対し直交するように突き出されている。
つまり回転軸２４ａと同方向に突き出されている。そして、ロック部材２４の他の端部（第２の端部）には揺動方向に突き出されたピン２４ｃが設けられている。
【００４９】
駆動セクタギア２５は回転中心を頂点として外周に９０度未満の所定の円周角θ１で円周方向に直交する被押圧部である一対の端面（一方の端面である第１セクタギア側端面２５ａ１と他方の端面である第２セクタギア側端面２５ａ２）の間に扇状にセクタギア部（平歯車部）２５ａが形成され、軸受ボス２１ｆに回転可能に嵌合する孔を有する円環部２５ｂを有する。
【００５０】
回転ダイアル２６は手動駆動部材として操作者の駆動力を受けてコネクタ支持部材２３を移動させるため略リング状に形成されている。その中心には駆動セクタギア２５の円環部２５ｂの外周に嵌合する回転孔２６ａが設けられている。回転ダイアル２６はその回転中心を頂点とする９０度未満の所定の円周角θ１で扇状に外周から回転孔周囲まで形成された切欠２６ｂを有している。この切欠２６ｂは、回転ダイアル２６の円周方向に直交する押圧部である２つの端面により挟まれていて、切欠の一方の端面である第１切欠側端面２６ｂ１は駆動セクタギア２５のセクタギア部の一対の端面の一方のセクタギア側端面２５ａ１を押圧し、切欠の他方の端面である第２切欠側端面２６ｂ２はセクタギア部の一対の端面の他方の端面である２５ａ２を押圧する。
【００５１】
なお、θ１＞θ２となる角度設定となっている。この切欠の中に駆動セクタギア２５の扇状のセクタギア部２５ａが入り、駆動セクタギア２５の円環部２５ｂと回転ダイアル２６の回転孔とが嵌合して回転ダイアル２６と駆動セクタギア２５がθ１−θ２＝αだけ相対回転可能となる。また回転ダイアル２６と駆動セクタギア２５も下ケース２１ａに対し相対回転可能である。回転ダイアル２６の厚み方向の一端面（第１の端面２６ｃ）には一対の回転被規制突部２６ｄ（図４不図示、図４の裏面、図５以降参照）が円周方向に所定の角度で離間して設けられ、下ケース２１ａの回転規制突部２１ｇと当接することにより回転の回転角度を規制されている。従って回転ダイアル２６は一対の規制突部の所定角度間のみ回転が可能となっている。この一対の回転被規制突部２６ｄの一方の回転被規制突部はコネクタ支持部材が繰込み完了状態で、コネクタ支持部材がそれ以上の繰込みをしてしまうのを制限する繰込側制限突部２６ｄ１として回転ダイアルの径方向に延びて形成されている。また、他方の回転被規制突部はコネクタ支持部材が繰出し完了状態で、コネクタ支持部材がそれ以上の繰出しをしてしまうのを制限する繰出側制限突部２６ｄ２として回転ダイアルの径方向に延びて形成されている。
【００５２】
回転ダイアル２６の厚み方向の他端面（第２の端面２６ｅ）にはロック部材２４のピン２４ｃが当接して摺動する回転ダイアル２６の回転軸２４ａ中心軸に平行に盛り上がるロック解除部としての係止解除用凸面２６ｆと、この凸面を円周方向に挟むように二つの凹面（繰込係止用凹面２６ｇ１と繰出係止用凹面２６ｇ２）とが連続して設けられている。
【００５３】
尚、繰込係止用凹面２６ｇ１と係止解除用凸面２６ｆとの間と、係止解除用凸面２６ｆと繰出係止用凹面との間にはそれぞれ円周方向に斜面を、ロック部材２４のピン２４ｃが滑らかに摺動するように有している。ロック部材２４はバネ２７により、ピン２４ｃがこれら二つの凹面と凸面とに当接するように付勢される。
【００５４】
駆動ギアの回転を受けて、コネクタ支持部材２３を繰込み，繰出すための被駆動セクタギア２８が設けられる。被駆動セクタギア２８には回転中心に中心としての回転孔２８ａを有し、回転可能に回転孔２８ａが下ケース２１ａの軸部２１ｈに噛合する。被駆動セクタギア２８は扇状の平歯車である第２のギア２８ｃと、この第２ギアの中心と同じ中心を有するピニオンギア２８ｂである第１のギアとが一体となっている。第１ギア部は駆動セクタギア２５と噛合する。第２のギア２８ｃはコネクタ支持部材２３に設けられたラック２３ｂ（図４不図示、図５以降参照）と噛合する。
【００５５】
次に、これら部品の組立てを説明する。
【００５６】
始めに下ケース２１ａの固定用リブ２１ｊと壁部２１ｉにバネ２７を嵌めておき、駆動セクタギア２５を軸受ボス２１ｆに嵌合させ、更に駆動セクタギア２５の円環部２５ｂに回転ダイアル２６の回転孔２６ａを嵌合させる。このとき、回転ダイアル２６の規制突部の間に回転規制突部２１ｇが入るようにする。そして、一方の規制突部と回転規制突部２１ｇとを当接させ、更に駆動セクタギア２５の平歯車部の円周方向の一端面を回転ダアイルの切欠の円周方向の内側一端面と当接させておく。そうすると駆動セクタギア２５のセクタギア部（平歯車部）の円周方向の他端面と回転ダアイルの切欠の円周方向の内側他端面とは当接せずに空間、すなわち、θ１−θ２＝αの角度の空間が存在する（図５（ａ）参照）。このαが後述する空走域となる。この状態で被駆動セクタギア２８を軸部２１ｈに嵌合させ、被駆動セクタギア２８のピニオンと駆動セクタギア２５と噛合させる。このとき、後から組み込まれるコネクタ支持部材２３のラック２３ｂと噛み合う被駆動セクタギア２８の第２のギア２８ｃを、コネクタ支持部材２３がガイドケースの中に繰込まれた状態となるように設定しておく（図５（ａ）参照）。そしてロック部材２４を下ロック部材軸受部２１ｋに載置する。このときロック部材２４のピン２４ｃ先端は回転ダイアル２６の凹部に載置される。さらに下ガイドケース２２ａを載せ、下ガイドケース２２ａの第１固定片２２ｃを下ケース２１ａの第１ボス２１ｃに、下ガイドケース２２ａの第２固定片ｄを下ケース２１ａの第２ボス２１ｄに、下ガイドケース２２ａの第３固定片２２ｅを下ケース２１ａの第３ボス２１ｅに、下ガイドケース２２ａの第４固定片ｑを下ケース２１ａの第１ケース止めボスｑに重畳するように載置する。このとき下ガイドケース２２ａの軸受ボス用孔２２ｇに下ケース２１ａの軸受ボス２１ｆが嵌合する。そして、その周囲の受け面２２ｈが回転ダイアル２６の軸受ボス２１ｆからの浮き、外れを防止する。また下ガイドケース２２ａの押え片２２ｉが、ロック部材２４を下ロック部材軸受部２１ｋに押えている。
【００５７】
この状態で下ガイドケース２２ａを下ケース２１ａに仮止めする。この仮止めは下ガイドケース２２ａの第１固定片２２ｃに設けてある孔を通して下ケース２１ａの第１ボスｃに第１ネジ２９により固定される。
【００５８】
この後、コネクタ支持部材２３を下ガイドケース２２ａ内に納める。このとき、前述したようにコネクタ支持部材２３のラック２３ｂと被駆動セクタギア２８の第２のギア２８ｃとを噛み合わせるが、コネクタ支持部材２３は下ガイドケースの中に繰込状態で収納され、繰出しが可能なようにラック２３ｂと第２のギア２８ｃとが噛合する。この状態で、上ガイドケース２２ｂがコネクタ支持部材２３を覆うように下ガイドケース２２ａに重畳して載置される。そうすると上ガイドケース２２ｂの第５固定片２２ｄｄは下ガイドケース２２ａの第２固定片２２ｄに、上ガイドケース２２ｂの第６固定片２２ｅｅは下ガイドケース２２ａの第３固定片２２ｅに、上ガイドケース２２ｂの第７固定片（不図示）は下ガイドケース２２ａの第４固定片２２ｑに重畳して載置される。そこで第２ネジ３０を第２固定片２２ｄの孔、第５固定片２２ｄｄの孔に貫通させ第２ボスｄのネジ用穴に螺合させ、第３ネジ３１を第３固定片２２ｅの孔、第６固定片２２ｅｅの孔に貫通させ第３ボスｅのネジ用穴に螺合させる。
そうして第４固定片２２ｑと第７固定片の固定を除き下ガイドケース２２ａ、上ガイドケース２２ｂ共に下ケース２１ａに固定される。
【００５９】
最後に上ケース２１ｂが下ケース２１ａに被さり、機器本体２１内に収納された全ての部品が覆われる。
【００６０】
このとき、ロック部材２４の一対の回転軸２４ａは下ケース２１ａの下ロック部材軸受部２１ｋと上ケース２１ｂの上ロック部材軸受部２１ｗとで挟まれ、バネ２７の付勢力を受けながらこの回転軸２４ａ中心にロック部材２４の揺動が可能となっている。
【００６１】
そして第１ケース止めネジ３２が下ケース２１ａの第１ケース止めボス２１ｑの貫通穴を貫通して上ケース２１ｂの第１上ボス（不図示）に螺合し、第２ケース止めネジ３３が下ケース２１ａの第２ケース止めボス２１ｒの貫通穴を貫通し上ケース２１ｂの第２上ボス（不図示）に螺合し、第３ケース止めネジ３４が下ケース２１ａの第３ケース止めボス２１ｓの貫通穴を貫通し上ケース２１ｂの第３上ボス（不図示）に螺合して上ケース２１ｂと下ケース２１ａとが一体化する。このとき第１ケース止めボス２１ｑと第１上ボスとでガイドケースの第４固定片２２ｑと第７固定片とが共締めされている。
【００６２】
上記構成の基での本機器の動作を図５乃至図８により説明する。
【００６３】
図５乃至図８は図４中に示す矢印Ｐ方向から眺め、本機器のケースを取り除いた図であり、図５乃至図８のそれぞれの（ａ）はコネクタ２３ａの繰込状態を示す斜視図であり、図５乃至図８のそれぞれの（ｂ）は図５乃至図８のそれぞれの（ａ）中の矢印Ａ方向からみた側面図である。
【００６４】
始めに、コネクタ２３ａの繰込状態（図３（ａ））からコネクタ２３ａの繰出しを行う場合から本機器の動作説明を始める。回転ダイアル２６を回転させる直前の図３（ａ）の状態においては、回転ダイアル２６の回転被規制突部２６ｄの一方である繰込側制限突部２６ｄ１と下ケース２１ａの回転規制突部２１ｇとが当接していて回転ダイアル２６が更なる繰込みを行えぬように回転規制が掛かっている状態である。そして、回転ダイアル２６の扇状の切欠内部の側面の１つである第１切欠内側面２６ｂ１と、駆動セクタギア２５の側面（周方向に直交する面）の１つである第１セクタギア側面２５ａ１とは円周角αの角度の空間を挟んで対向している状態である。また、バネ２７の付勢力によりロック部材２４のピン２４ｃは回転ダイアル２６の凹面２６ｇ１（図３（ａ）に示す回転ダイアル２６の裏面にある）に当接し、ロック部材２４の係止用突部２４ｂはコネクタ支持部材２３の繰込被係止凹部２３ｃ１に係合している。従って、コネクタ支持部材２３およびコネクタ２３ａは衝撃等によって勝手に繰出の方向へ繰出されることはない。
【００６５】
図３（ａ）の状態から回転ダイアル２６を図３（ａ）、図５（ａ）のＸ方向にダイアルを手動により回転させる。そうすると回転ダイアル２６の回転被規制突部２６ｄの一方である繰込側制限突部２６ｄ１と下ケース２１ａの回転規制突部２１ｇとが離間する。始めは回転ダイアル２６だけが、角度αだけ空回転し、回転ダイアル２６の凹面に当接していたロック部材２４のピン２４ｃが回転ダイアル２６の凸面２６ｆ（図３（ａ）、図５乃至図８に示す回転ダイアル２６の裏面にある）に乗り上げるためバネ２７により付勢されているロック部材２４が揺動し、これと同時にロック部材２４の係止用突部２４ｂがコネクタ支持部材２３の繰込被係止凹部２３ｃ１から解除される。
【００６６】
この角度α分の回転ダイアル２６の回転がコネクタ２３ａの移動に作用しない空走域である。この角度α分の回転が終わったのが図６に示す状態である。この状態で回転ダイアル２６の扇状の切欠内部の側面の１つである第１切欠内側面２６ｂ１と、駆動セクタギア２５の側面の１つである第１セクタギア側面２５ａ１とは当接した状態となる。また、ロック部材２４のピン２４ｃが凸面と当接したままなので係止用突部２４ｂと繰込被係止凹部２３ｃ１との係合は解除されたままである。当然のことながら後述する繰出被係止凹部と係止用突部２４ｂとは係合していない。
【００６７】
これに続いて更に回転ダイアル２６を同方向に回転し続けると、回転ダイアル２６が駆動セクタギア２５を押圧し、駆動セクタギア２５は同方向に回転する。駆動セクタギア２５が回転すると、これに噛合しているピニオンギア２８ｂも回転するので、被駆動セクタギア２８も回転し、このピニオンギア２８ｂと一体の扇状の平歯車も回転する。この平歯車が回転すれば、これと噛合しているラック２３ｂも駆動され、コネクタ支持部材２３も図６（ａ）に示す繰出方向Ｘ１に移動させられる。するとコネクタ支持部材２３と一体のコネクタ２３ａはコネクタ２３ａ用開口２１ｔから繰出される。この繰出が完了する少し前に、ロック部材２４のピン２４ｃはバネ２７の付勢力によって係止解除用凸面２６ｆから繰出係止用凹面２６ｇ２に当接摺動して、ロック部材２４を揺動させロック部材２４の係止用突部２４ｂがコネクタ支持部材２３の繰出被係止凹部に嵌入し、コネクタ支持部材２３を繰出状態で係止する。
【００６８】
最後に回転ダイアル２６はその繰出側制限突部２６ｄ２が回転規制突部２１ｇと当接し回転が強制的に停止させられる。すなわち図７、図３（ｂ）に示される繰出状態となる。
【００６９】
尚、繰込状態から繰出しの操作を行う回転ダイアル２６の回転の途中で回転ダイアル２６の扇状の切欠内部の側面の１つである第１切欠内側面２６ｂ１と、駆動セクタギア２５の側面の１つである第１セクタギア側面２５ａ１とは当接した状態となり回転ダイアル２６と駆動セクタギア２５とは一体となり回転する。従って、当然に、回転ダイアル２６の扇状の切欠内部の側面のもう１つの第２切欠内側面２６ｂ２と、駆動セクタギア２５の側面のもう１つの第２セクタギア側面２５ａ２とは角度αの空間を保ったまま離間しながら回転ダイアル２６が回転する（図６（ａ）参照）。
【００７０】
この係止が掛けられた繰出状態では、コネクタ２３ａに不用意な力が加わってもコネクタ２３ａが中途半端に引っ込むこともなく、また他の機器に接続しようとして他の機器の接続開口に中途半端に引っ掛けても引っ込んでしまうこともないので、再度の繰出操作を行うこともなく円滑に接続行為が容易に行える。
【００７１】
次にコネクタ２３ａの繰出状態（図３（ｂ））からコネクタ２３ａの繰込みを行う場合を説明する。回転ダイアル２６を回転させる直前の図７（ａ）の状態においては、回転ダイアル２６の回転被規制突部２６ｄの他方である繰込側制限突部２６ｄ２と下ケース２１ａの回転規制突部２１ｇとが当接していて回転ダイアル２６が更なる繰出しを行えぬように回転規制が掛かっている状態である。そして、回転ダイアル２６の扇状の切欠内部の側面の１つである第２切欠内側面２６ｂ２と、駆動セクタギア２５の側面（周方向に直交する面）の１つである第２セクタギア側面２５ａ２とは円周角αの角度の空間を挟んで対向している状態である。また、バネ２７の付勢力によりロック部材２４のピン２４ｃは回転ダイアル２６の凹面２６ｇ２（図７（ａ）に示す回転ダイアル２６の裏面にある）に当接し、ロック部材２４の係止用突部２４ｂはコネクタ支持部材２３の繰出被係止凹部に係合している。従って、コネクタ支持部材２３およびコネクタ２３ａは衝撃、不容易な外力等の等によって勝手に繰込みの方向へ繰込まれることはない。
【００７２】
図７の状態から回転ダイアル２６を図７（ａ）のＹ方向にダイアルを手動により回転させる。そうすると回転ダイアル２６の回転被規制突部２６ｄの他方である繰出側制限突部２６ｄ２と下ケース２１ａの回転規制突部２１ｇとが離間する。始めは回転ダイアル２６だけが、空走域である角度αだけ空回転し、回転ダイアル２６の凹面に当接していたロック部材２４のピン２４ｃが回転ダイアル２６の凸面２６ｆ（図７（ａ）に示す回転ダイアル２６の裏面にある）に乗り上げるためバネ２７により付勢されているロック部材２４が揺動し、これと同時にロック部材２４の係止用突部２４ｂがコネクタ支持部材２３の繰出被係止凹部から解除される。
【００７３】
この角度α分の回転ダイアル２６の回転がコネクタ２３ａの移動に作用しない空走域である。この角度α分の回転が終わったのが図８に示す状態である。この状態で回転ダイアル２６の扇状の切欠内部の側面の１つである第２切欠内側面２６ｂ２と、駆動セクタギア２５の側面の１つである第２セクタギア側面２５ａ２とは当接した状態となる。また、ロック部材２４のピン２４ｃが凸面２６ｆと当接したままなので係止用突部２４ｂと繰出被係止凹部との係合は解除されたままである。当然のことながら後述する繰込被係止凹部２３ｃ１と係止用突部２４ｂとは係合していない。
【００７４】
これに続いて更に回転ダイアル２６を同方向に回転し続けると、空走域から作動域に入り、回転ダイアル２６が駆動セクタギア２５を押圧し、駆動セクタギア２５は同方向に回転する。駆動セクタギア２５が回転すると、これに噛合しているピニオンギア２８ｂも回転するので、被駆動セクタギア２８も回転し、このピニオンギア２８ｂと一体の扇状の平歯車も回転する。この平歯車が回転すれば、これと噛合しているラック２３ｂも駆動され、コネクタ支持部材２３も図８（ａ）に示す繰出方向Ｙ１に移動させられる。するとコネクタ支持部材２３と一体のコネクタ２３ａはコネクタ２３ａ用開口２１ｔ内に繰込まれる。
【００７５】
この繰込みが完了する少し前に、ロック部材２４のピン２４ｃはバネ２７の付勢力によって係止解除用凸面２６ｆから繰込係止用凹面２６ｇ１に当接摺動して、ロック部材２４を揺動させロック部材２４の係止用突部２４ｂがコネクタ支持部材２３の繰込み被係止凹部に嵌入し、コネクタ支持部材２３を繰込状態で係止する。最後に回転ダイアル２６はその繰込側制限突部２６ｄ１が回転規制突部２１ｇと当接し回転が強制的に停止させられる。すなわち図５、図３（ａ）に示される繰込状態となる。
【００７６】
尚、繰出状態から繰込操作を行う回転ダイアル２６の回転の途中で回転ダイアル２６の扇状の切欠内部の側面の１つである第２切欠内側面２６ｂ２と、駆動セクタギア２５の側面の１つである第２セクタギア側面２５ａ２とは当接した状態となり回転ダイアル２６と駆動セクタギア２５とは一体となり回転する。従って、当然に、回転ダイアル２６の扇状の切欠内部の側面のもう１つの第１切欠内側面２６ｂ１と、駆動セクタギア２５の側面のもう１つの第１セクタギア側面２５ａ１とは角度αの空間を保ったまま離間しながら回転ダイアル２６が回転する（図８（ａ）参照）。
【００７７】
この係止が掛けられた繰込状態では、機器本体２１に不用意な力や衝撃が加わってもコネクタ２３ａが中途半端に繰出されることもない。
【００７８】
尚、駆動セクタギア２５と、被駆動セクタギア２８とは回転ダイアル２６からの駆動力をコネクタ支持部材２３に伝達する駆動力伝達手段ということができる。
【００７９】
尚、第２の実施形態において回転ダイアルとコネクタ支持部材との間にはセクタギア２５と、これと噛合しているピニオンギアと一体の、ラック２３ｂと噛合している被駆動セクタギア２８を開示したが、これに限らず、ピニオンギアと一体の、ラックと噛合している被駆動セクタギア２８を省き直接にセクタギア２５とラック２３ｂとを噛合させた構成としてもよい。また、第１の実施形態においては操作部材３の駆動部がコネクタ支持体（コネクタ支持部材）２の被駆動部を駆動しているが、これに限らず、操作部材３とコネクタ支持体２との間にピニオンギアを配置して、操作部材３がこのピニオンギアを回転駆動し、さらにこのピニオンギアがコネクタ支持体２を駆動してもよい。この場合は、操作部材３とコネクタ支持体２にラックが設けられるが、操作部材３のラックは、移動の初期にはピニオンギアと噛合しない空走域を設け、これに続いて作動域としてピニオンギアと噛合するラックを設ける。
【００８０】
このように本発明の外部接続用コネクタ２３ａを有する機器においては、コネクタ２３ａの繰出し、繰込みを行うとき、それぞれ操作者によって駆動力を与えられ直線移動する操作部材や操作者によって回転駆動力を与えられる回転ダイアル２６の連続した単純な単一の動作（単一の操作行為）だけですみ、他の意図的な動作を必要とせずに容易にコネクタ２３ａの繰出し、繰込みを行うことができる。
【００８１】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【００８２】
本発明は、外部接続用コネクタ２３ａを備えた機器、例えばデジタルカメラ，携帯電話，音声再生機器，録音機器，電子手帳，電子辞書，パーソナルコンピュータ，ゲーム機器，テレビ，時計，ＧＰＳ（Global Positioning System）を利用したナビゲーション機器等、その他各種の電子機器に対して広く適用することができる。
【符号の説明】
【００８３】
１・・・機器本体（コネクタ装置）、１ａ・・・ケース、１ｂ・・・コネクタ用開口、１ｃ・・・摘み開口、１ｄ・・・軸
２・・・コネクタ支持体、２ａ・・・コネクタ（外部接続用コネクタ）、２ｂ・・・被駆動凸部（被駆動部）、２ｃ・・・被係合部（凹部）、２ｄ・・・被係合端面
３・・・操作部材、３ａ・・・操作摘み、３ｂ・・・係止駆動凸部、３ｃ・・・第１傾斜面、３ｄ・・・凸部頂点面、３ｅ・・・第２傾斜面、３ｆ・・・駆動部（駆動力伝達部）、３ｇ・・・第１駆動凸部、３ｈ・・・第２駆動凸部
４・・・係止部材（ロック部材）、４ａ・・・揺動孔、４ｂ・・・係止部、４ｃ・・・当接部
５・・・付勢部材（バネ部材）
２１・・・機器（機器本体）、２１ａ・・・下ケース（外装部材）、２１ｂ・・・上ケース（外装部材）、２１ｃ・・・第１ボス、２１ｄ・・・第２ボス、２１ｅ・・・第３ボス、２１ｆ・・・軸受ボス、２１ｇ・・・回転規制突部、２１ｈ・・・軸部、２１ｉ・・・壁部、２１ｊ・・・固定用リブ、２１ｋ・・・下ロック部材軸受部、２１ｍ・・・ダイアル用切欠開口、２１ｎ・・・コネクタ用切欠開口、２１ｑ・・・第１ケース止めボス、２１ｒ・・・第２ケース止めボス、２１ｓ・・・第３ケース止めボス、２１ｔ・・・コネクタ用開口、（２１ｔ・・・第１上ボス、２１ｕ・・・第２上ボス、２１ｖ・・・第３上ボス、）２１ｗ・・・上ロック部材軸受部
２２・・・ガイドケース、２２ａ・・・下ガイドケース、２２ｂ・・・上ガイドケース、２２ｃ・・・第１固定片、２２ｄ・・・第２固定片、２２ｅ・・・第３固定片、２２ｄｄ・・・第５固定片、２２ｅｅ・・・第６固定片、２２ｑ・・・第４固定片、２２ｇ・・・軸受ボス用孔、２２ｈ・・・受け面、２２ｉ・・・押え片、
２３・・・コネクタ支持部材、２３ａ・・・コネクタ、２３ｂ・・・ラック、２３ｃ１・・・繰込被係止凹部、２３ｃ２・・・繰出被係止凹部、
２４・・・ロック部材、２４ａ・・・回転軸、２４ｂ・・・係止用突部、２４ｃ・・・ピン、
２５・・・駆動セクタギア、２５ａ・・・セクタギア部（扇状の平歯車部）、２５ａ１・・・第１セクタギア側面、２５ａ２・・・第２セクタギア側面、２５ｂ・・・円環部、
２６・・・回転ダイアル、２６ａ・・・回転孔、２６ｂ・・・切欠、２６ｂ１・・・第１切欠内側面、２６ｂ２・・・第２切欠内側面、２６ｃ・・・第１の端面、２６ｄ・・・回転被規制突部、２６ｄ１・・・繰込側制限突部、２６ｄ２・・・繰出側制限突部、２６ｅ・・・第２の端面、２６ｆ・・・係止解除用凸面、２６ｇ１・・・繰込係止用凹面、２６ｇ２・・・繰出係止用凹面、
２７・・・バネ、
２８・・・被駆動セクタギア、２８ａ・・・回転孔、２８ｂ・・・ピニオンギア（第１のギア）、２８ｃ・・・第２のギア（扇状の平歯車）、
２９・・・第１ネジ、３０・・・第２ネジ、３１・・・第３ネジ、３２・・・第１ケース止めネジ、３３・・・第２ケース止めネジ、３４・・・第３ケース止めネジ
【図１】
2014052766.tif 000003
【図２】
2014052766.tif 000004
【図３】
2014052766.tif 000005
【図４】
2014052766.tif 000006
【図５】
2014052766.tif 000007
【図６】
2014052766.tif 000008
【図７】
2014052766.tif 000009
【図８】
2014052766.tif 000010